(57)【特許請求の範囲】
【請求項１】
開口部サッシと、その外周に施工された外壁パネルとの間に形成される目地空間に沿って挿入されるとともに、前記開口部サッシ側の内側側面部が開口部サッシに固着され、前記外壁パネルの施工により、前記内側側面部に略垂直方向に押圧される中空シール部と，および、該中空シール部から外壁パネル側に突出するように一体成形され、前記外壁パネルの施工時に先端部が外壁パネルの側端部に当接するシールリップ部と，を備え、前記シールリップ部が中空シール部の室内側でしかも内側側面部の室内側端部よりも室内側に位置するように形成され、前記外壁パネルの施工時に、前記シールリップ部に前記外壁パネルの側面部が始めに当たり、前記中空シール部全体を室内側にズレ変形を起こさせ、前記シールリップ部と前記中空シール部の２点でシールしたことを特徴とする乾式止水ガスケット。
【請求項２】
開口部サッシと、その外周に施工された外壁パネルとの間に形成される目地空間のうち上部横目地および左右縦目地に沿って挿入されるとともに、前記開口部サッシ側の内側側面部が開口部サッシに固着され、前記外壁パネルの施工により、前記内側側面部に略垂直方向に押圧される中空シール部と，および、該中空シール部から外壁パネル側に突出するように一体成形され、前記外壁パネルの施工時に先端部が外壁パネルの側端部に当接するシールリップ部と，を備え、前記シールリップ部が中空シール部の室内側でしかも内側側面部の室内側端部よりも室内側に位置するように形成され、前記外壁パネルの施工時に、前記シールリップ部に前記外壁パネルの側面部が始めに当たり、前記中空シール部全体を室内側にズレ変形を起こさせ、前記シールリップ部と前記中空シール部の２点でシールした特徴とする乾式止水ガスケット。
【発明の詳細な説明】
【０００１】
【発明の属する技術分野】
本発明は、乾式止水ガスケットに関する。より詳しくは、建築物の開口部サッシと外壁パネル間の目地空間をシールする乾式止水ガスケットに関する。
【０００２】
【従来の技術】
建築物の矩形状の開口部サッシとその外周に施工された外壁パネルとの間に形成される同じく矩形状に延びる目地空間には、湿式のシーリング材を充填して目地を塞いで止水効果を高めるといった、湿式工法が採用されていて、従来、乾式のガスケットは採用されていなかった。
【０００３】
【発明が解決しようとする課題】
しかしながら、湿式のシーリング材を充填する方法は、横目地及び縦目地の全体にむらなくシーリング材を流し込む必要があるため施工作業が煩雑で、多くの作業時間を要する。さらに、流し込まれたシーリング材が乾燥するまでの養生期間が必要である。また、耐候性，耐久性の点で品質が劣り、施工作業，及び品質そのものも天候に左右されるという問題がある。
【０００４】
そこで本発明は、上記問題を解決するものであり、その目的とするところは、施工時間の短縮化を図るとともに十分な止水効果を安定して得ることのできる乾式止水ガスケットを提供することにある。
【０００５】
【課題を解決するための手段】
上記の目的を達成するために、請求項１に記載の乾式止水ガスケットは、開口部サッシと、その外周に施工された外壁パネルとの間に形成される目地空間に沿って挿入されるとともに、開口部サッシ側の内側側面部が開口部サッシに固着され、外壁パネルの施工により、前記内側側面部に略垂直方向に押圧される中空シール部と，および、中空シール部から外壁パネル側に突出するように一体成形され、外壁パネルの施工時に先端部が外壁パネルの側端部に当接するシールリップ部と，を備え、前記シールリップ部が中空シール部の室内側でしかも内側側面部の室内側端部よりも室内側に位置するように形成され、前記外壁パネルの施工時に、前記シールリップ部に前記外壁パネルの側面部が始めに当たり、前記中空シール部全体を室内側にズレ変形を起こさせ、前記シールリップ部と前記中空シール部の２点でシールしたことを特徴とする。
【０００６】
また請求項２に記載の乾式止水ガスケットは、開口部サッシと、その外周に施工された外壁パネルとの間に形成される目地空間のうち上部横目地および左右縦目地に沿って挿入されるとともに、前記開口部サッシ側の内側側面部が開口部サッシに固着され、前記外壁パネルの施工により、前記内側側面部に略垂直方向に押圧される中空シール部と，および、該中空シール部から外壁パネル側に突出するように一体成形され、前記外壁パネルの施工時に先端部が外壁パネルの側端部に当接するシールリップ部と，を備え、前記シールリップ部が中空シール部の室内側でしかも内側側面部の室内側端部よりも室内側に位置するように形成され、前記外壁パネルの施工時に、前記シールリップ部に前記外壁パネルの側面部が始めに当たり、前記中空シール部全体を室内側にズレ変形を起こさせ、前記シールリップ部と前記中空シール部の２点でシールしたことを特徴とする。
【０００９】
請求項１に記載の乾式止水ガスケットは、中空シール部とシールリップ部とから構成され、中空シール部は開口部サッシ側の内側側面部が開口部サッシに固着されるとともに外壁パネルの施工により押圧され、シールリップ部は外壁パネルの施工時に先端部が外壁パネルの側端部に当接するようになっているので、乾式止水ガスケットであっても十分な止水効果が得られる。このような、乾式止水ガスケットは目地空間に挿入するだけでよいので、従来の湿式のシーリング材と比較して取り付けが簡単で施工時間の短縮化が図れる。
また、シールリップ部が外壁パネル側に突出していることによって目地幅のバラツキを吸収することができる。
【００１０】
また請求項２に記載の乾式止水ガスケットによれば、請求項１に記載の発明の作用効果に加えて、下部横目地には水切りパネルなどを設けることによって浸入した水を外部に排出することができる。
【００１１】
更に請求項１又は２に記載の乾式止水ガスケットによれば、シールリップ部が中空シール部の室内側に設けられているので、外壁パネルの施工により押圧された中空シール部と外壁パネルの側端部との間から万が一水が浸入してもシールリップ部によって左右あるいは下部に導かれ室内に浸入することが防止される。
【００１２】
また、内側側面部の室内側端部よりもシールリップ部が室内側にあるため、例えば図４に示すように、外壁パネルの施工により矢印Ｆの方向に十分な押圧力が働くとシールリップ部に初めに当たり、この結果、中空シール部全体は室内側にズレ変形をおこす。これにより、シールリップ部と中空シール部とが略ハの字状となり２点シールの状態となってシール力を高める。よって、中空シール部側のシール性に仮りに問題があってもシールリップ部で補助する構成となっている。
【００１３】
【発明の実施の形態】
図１乃至図５を参照して、本発明の実施形態に係る乾式止水ガスケット１０について説明する。図１は本実施形態に係る乾式止水ガスケット１０の拡大断面図，図２は目地空間ｍに乾式止水ガスケット１０が挿入された状態を示す正面図，図３は図２のＡ−Ａ線拡大断面図，図４は図３の部分拡大断面図，および図５は図２のＸ部拡大正面図である。
【００１４】
本発明の実施形態に係る乾式止水ガスケット１０は、中空シール部１１と中空シール部１１に一体成形されたシールリップ部１２とからなる環状のガスケットである。
中空シール部１１は、建築物に取り付けられる例えば矩形状の開口部サッシ１と、その外周に施工された外壁パネル２との間に形成され同じく矩形状に延びる目地空間ｍに沿って挿入されるものであり、開口部サッシ１側の内側側面部１１ａが平面状にされ開口部サッシ１に固着されている。また、中空シール部１１の断面形状は略Ｕ字形からなる曲面部１１ｂの開口部を平面状の内側側面部１１ａで塞いだものである。そして、中空シール部１１は、その固着後に外壁パネル２の施工により図４に示す矢印Ｆの方向に十分押圧されることにより止水効果がより高められるようになっている。すなわち、十分な押圧が得られるところで外壁パネル２が固定されるようになっている。
なお、開口部サッシ１に対する乾式止水ガスケット１０の固着は、平面状の内側側面部１１ａがブチルテープ３を介して開口部サッシ１に貼着されることによって行われているので、取り付けが簡単で特に工具や治具等を必要としない。
【００１５】
シールリップ部１２は、ゴム様弾性体からなる水返しリップで、中空シール部１１の曲面部１１ｂ外側から外壁パネル２側に向けて略水平に突出して延びるように中空シール部１１とともに押出成形により一体的に成形されたものである。このシールリップ部１２は、中空シール部１１の室内側に設けられたものであり、外壁パネル２の施工時にその先端部１２ａが外壁パネル２の側端部２ａに当接してその側端部２ａと曲面部１１ｂとの間から万が一浸入した水を導き室内側に浸水することを防止する役割を果たす。すなわち、上部の横目地から左右の縦目地に導水し下部の横目地に取り付けられた乾式止水ガスケット１０の下部に設けられた水切りパネル４から外部に水を排出するようになっている。
また、シールリップ部１２が外壁パネル２側に延びていることによって目地幅のバラツキを吸収することができる。
【００１６】
更に、シールリップ部１２の曲面部１１ｂ外側の成形位置は、内側側面部１１ａの室内側端部よりも室内側に位置するように形成されている。これによれば、図４に示すように、外壁パネル２の施工により矢印Ｆの方向に十分な押圧力が働くとシールリップ部１２に初めに当たり、この結果、中空シール部１１全体は室内側にズレ変形をおこす。そして、シールリップ部１２と中空シール部１１とが略ハの字状となり２点シールの状態となってシール力を高める。よって、中空シール部１１側のシール性に仮りに問題があってもシールリップ部１２で補助する構成となっている。
その上、本実施形態例では内側側面部１１ａの室内側端部に交わる曲面部１１ｂのつけ根部に凹部１３が形成され、シールリップ部１２の位置はこの凹部１３の位置よりも室内側に設けられているので、上述のように図４に示す押圧力Ｆが働くと凹部１３が中空シール部１１のズレ変形を一層助ける作用をする。よって、一層、シール力が高められる。
【００１７】
なお、下部の横目地には乾式止水ガスケット１０を取り付けることなく、すなわち、上部の横目地および左右縦目地にだけに沿うように形成した乾式止水ガスケット１０を取り付け、下部の横目地に相当する開口部サッシ１の底面に水切りパネル４だけを設けるようにしてもよい。
また、開口部サッシ１の形状は本実施形態例では矩形状であるが、例えば円形状や馬蹄形状などであってもよく、その形状は特に限定されるものではない。
【００１８】
乾式止水ガスケット１０のコーナー部は、乾式止水ガスケット１０の納まりが複雑なので、図５に示すように型成形されたコーナー部材１５を接着剤等で接合するようになっている。なお、これにかえて図６に示すようにガスケット端部を略４５度に斜めに切断し、突き付け接合するようにしてもよい。このように各辺を一連一体にすることにより止水効果を十分発揮させようとするものである。
【００１９】
【発明の効果】
以上のとおり、請求項１に記載の乾式止水ガスケットによれば、中空シール部とそれに一体成形されたシールリップ部とによって、乾式止水ガスケットであっても十分な止水効果を安定して得ることができる。このような、乾式止水ガスケットは目地空間に挿入するだけでよいので、特に工具や治具等を使用することなく取り付けができるなど従来の湿式のシーリング材と比較して取り付けが簡単で施工時間の短縮化が図れる。また、蛇行や浮き沈みすることなく直進性に優れるため外観上の見栄えもよい。更に乾式止水ガスケットは中空シール部とシールリップ部からなる単純なものであるので安価に生産することができる。
また、シールリップ部が外壁パネル側に突出していることによって目地幅のバラツキを吸収することができる。
また乾式止水ガスケットをサッシに工場にて先付けする事により現場での作業工数の低減が出来る。
【００２０】
また請求項２に記載の乾式止水ガスケットによれば、請求項１の記載の発明の作用効果に加えて、下部横目地には水切りパネルなどを設けることによって浸入した水を外部に排出することができる。
【００２１】
更に請求項１又は２に記載の乾式止水ガスケットによれば、シールリップ部が中空シール部の室内側に設けられているので、外壁パネルの施工により押圧された中空シール部と外壁パネルの側端部との間から万が一水が浸入してもシールリップ部によって左右あるいは下部に導かれ室内に浸入することが防止される。
【００２２】
また、外壁パネルの施工により十分な押圧力がシールリップ部に働くとシールリップ部と中空シール部との変形によりシール力が高まるので、中空シール部側のシール性に仮りに問題があってもシールリップ部で補助することができる。
【図面の簡単な説明】
【図１】本実施形態に係る乾式止水ガスケット１０の拡大断面図である。
【図２】本実施形態に係る乾式止水ガスケット１０が目地空間ｍに挿入された状態を示す正面図である。
【図３】図２のＡ−Ａ線拡大断面図である。
【図４】図３の部分拡大断面図である。
【図５】図２のＸ部拡大正面図である。
【図６】他の実施形態に係る図２のＸ部拡大正面図である。
【符号の説明】
１      開口部サッシ
２      外壁パネル
２ａ    側端部
３      ブチルテープ
４      水切りパネル
１０      乾式止水ガスケット
１１      中空シール部
１１ａ    内側側面部
１１ｂ    曲面部
１２      シールリップ部
１２ａ    先端部
１３      凹部
１５      コーナー部材
ｍ      目地空間
【図１】
0003617897.tif 000002
【図２】
0003617897.tif 000003
【図３】
0003617897.tif 000004
【図４】
0003617897.tif 000005
【図５】
0003617897.tif 000006
【図６】
0003617897.tif 000007